(57)【要約】【課題】結合状態の保持力を向上しつつ、容易に結合させることができるブロック玩具を提供すること。【解決手段】対向する上面２１と底面２２及びこの上面２１と底面２２の周縁同士を連結する正面２３，背面２４，第１側面２５，第２側面２６を有して、直方体形状を呈するブロック体２０と、上面２１から突出して先端３０ａが開放した中空柱状の結合突起部３０と、底面２２に形成されて他のブロック体２０´から突出した結合突起部３０´を挿入可能な凹部４０と、を備えている。凹部４０は、内周面４０ｂから突出した係止突起４１を有している。一方、結合突起部３０は、他のブロック体２０´が有する係止突起４１´が係止する被係止部３１が外周面３０ｂに形成されると共に、起立方向に沿って延びて先端３０ａを破断するスリット３２が形成されている。【選択図】図９Ａ
2019083876.tif 000002
【特許請求の範囲】
【請求項１】
対向する一対の平面及び前記一対の平面の周縁同士を連結する側面を有して、立体形状を呈するブロック体と、
前記一対の平面の一方から突出し、先端が開放した中空柱状の結合突起部と、
前記一対の平面の他方に形成され、他のブロック体から突出した結合突起部を挿入可能な凹部と、を備え、
前記凹部は、内周面から突出した係止突起を有し、
前記結合突起部は、他のブロック体が有する係止突起が係止する被係止部が外周面に形成されると共に、起立方向に沿って延びて先端を破断するスリットが形成されている
ことを特徴とするブロック玩具。
【請求項２】
請求項１に記載されたブロック玩具において、
前記被係止部は、前記結合突起部の外周面を貫通する貫通孔によって形成されている
ことを特徴とするブロック玩具。
【請求項３】
請求項１又は請求項２に記載されたブロック玩具において、
前記被係止部は、前記結合突起部の周方向に延在されている
ことを特徴とするブロック玩具。
【請求項４】
請求項１から請求項３のいずれか一項に記載されたブロック玩具において、
前記ブロック体の側面は、周縁に沿って枠部が形成されている
ことを特徴とするブロック玩具。
【発明の詳細な説明】
【技術分野】
【０００１】
本発明は、ブロック玩具に関する発明である。
【背景技術】
【０００２】
従来、立方体形状のブロック体の上面に結合突起部が突出形成され、上面に対向するブロック体の底面には、他のブロック玩具のブロック体から突出した結合突起部を挿入可能な凹部が形成されたブロック玩具が知られている（例えば、特許文献１参照）。
【先行技術文献】
【特許文献】
【０００３】
【特許文献１】特表平１０-５０６３０９号公報
【発明の概要】
【発明が解決しようとする課題】
【０００４】
ところで、従来のブロック玩具では、結合突起部を凹部に挿入したとき、結合突起部の外周面と凹部の内周面との間に生じる摩擦力によって結合状態を保持する。そのため、この摩擦力以上の外力が作用すると結合突起部が凹部から抜けてしまい、ブロック玩具同士の結合が簡単に外れてしまうという問題がある。一方、結合突起部に対して凹部の大きさを狭くして摩擦力を高めると、結合突起部を凹部に挿入しにくくなり、ブロック玩具同士を容易に結合させることができなくなってしまう。
【０００５】
本発明は、上記問題に着目してなされたもので、結合状態の保持力を向上しつつ、容易に結合させることができるブロック玩具を提供することを目的とする。
【課題を解決するための手段】
【０００６】
上記目的を達成するため、本発明のブロック玩具は、対向する一対の平面及び前記一対の平面の周縁同士を連結する側面を有して立体形状を呈するブロック体と、前記一対の平面の一方から突出し、先端が開放した中空柱状の結合突起部と、前記一対の平面の他方に形成され、他のブロック体から突出した結合突起部を挿入可能な凹部と、を備えている。
そして、前記凹部は、内周面から突出した係止突起を有している。また、前記結合突起部は、他のブロック体が有する係止突起が係止する被係止部が外周面に形成されると共に、起立方向に沿って延びて先端を破断するスリットが形成されている。
【発明の効果】
【０００７】
よって、本発明のブロック玩具では、結合突起部を他のブロック玩具の凹部に挿入した際、結合突起部の外周面に形成された被係止部が、凹部の内周面から突出している係止突起に係止される。そのため、係止突起が被係止部に干渉し、外力が作用しても結合突起部を凹部から抜けにくくすることができる。
また、先端が開放した中空柱状の結合突起部には、起立方向に沿って延びて先端を破断するスリットが形成されている。このため、結合突起部に係止突起が接触したとき、結合突起部は、スリットを狭める方向に撓んで外径寸法を縮小する。これにより、結合突起部が係止突起を容易に乗り越えることができ、結合突起部の凹部への係止を円滑に行うことができる。
この結果、ブロック玩具同士の結合状態の保持力を向上しつつ、容易に結合させることができる。
【図面の簡単な説明】
【０００８】
【図１】実施例１のブロック玩具を示す斜視図である。
【図２】実施例１のブロック玩具を下方から見たときの斜視図である。
【図３】実施例１のブロック玩具を示す一部を破断した平面図である。
【図４】実施例１のブロック玩具を示す一部を破断した底面図である。
【図５】実施例１のブロック玩具を示す正面図である。
【図６】実施例１のブロック玩具を示す背面図である。
【図７】実施例１のブロック玩具を示す側面図である。
【図８Ａ】実施例１のブロック玩具の内部構造を示す説明図である。
【図８Ｂ】図３のＡ−Ａ断面図である。
【図９Ａ】実施例１のブロック玩具を結合したときの要部を破断した正面図である。
【図９Ｂ】図９ＡのＢ−Ｂ断面図である。
【図１０Ａ】結合突起部を凹部に挿入したときの挿入直後状態を示す説明図である。
【図１０Ｂ】結合突起部を凹部に挿入したときの挿入途中状態を示す説明図である。
【図１０Ｃ】結合突起部を凹部に挿入したときの挿入完了状態を示す説明図である。
【図１１】一対のブロック玩具の結合状態の変形例を示す要部を破断した平面図である。
【図１２】被係止部の他の例を示す斜視図である。
【発明を実施するための形態】
【０００９】
以下、本発明のブロック玩具を実施するための形態を、図面に示す実施例１に基づいて説明する。
【００１０】
（実施例１）
図１〜図８Ｂは実施例１のブロック玩具を示している。以下、図１〜図８Ｂに基づき、本発明のブロック玩具の構成について説明する。
【００１１】
実施例１のブロック玩具１は、ブロック体２０と、結合突起部３０と、凹部４０と、を備えている。なお、このブロック玩具１は、ＡＢＳ樹脂やスチロール樹脂等の合成樹脂製であり、ここでは、厚み方向に二分割された一対の部材を向い合せた状態で連結して形成されている。
【００１２】
ブロック体２０は、全ての面が平坦な長方形で構成された直方体部材であり、上面２１と、底面２２と、正面２３と、背面２４と、第１側面２５と、第２側面２６と、を有している。ここで、上面２１及び底面２２によって、ブロック体２０の「対向する一対の平面」を構成する。一方、正面２３、背面２４、第１側面２５、第２側面２６によって、上面２１の周縁と底面２２の周縁とを連結する「側面」を構成する。さらに、ここでは、正面２３及び背面２４により、上面２１及び底面２２の長辺間を連結すると共に、この正面２３と背面２４とが互いに対向している。また、第１側面２５及び第２側面２６によって、上面２１と底面２２の短辺間を連結すると共に、この第１側面２５と第２側面２６とが互いに対向している。
【００１３】
そして、正面２３には、図１及び図５に示すように周縁に沿って枠部２７が形成されている。この枠部２７は、正面２３の周縁から垂直に起立する起立面２７ａと、この起立面２７ａの先端から水平に延びる先端面２７ｂを、を有している。つまり、正面２３は、枠部２７の先端面２７ｂよりも、起立面２７ａの高さ分だけへこんでいる。
【００１４】
一方、背面２４は、図２及び図６に示すように、全面が一様に均一な平坦な面になっている。また、第１側面２５及び第２側面２６には、いずれもブロック玩具１を形成する一対の部材を連結した際に生じた段差部２８が形成されている（図７参照）。この段差部２８は、第１，第２側面２５，２６の幅方向の中央に位置し、上面２１及び底面２２にまで延在している。すなわち、この段差部２８は、ブロック体２０の全周を囲んでいる。
【００１５】
結合突起部３０は、ブロック体２０の上面２１から突出し、ここでは、上面２１の長辺方向に沿って四個形成され、均一の間隔をあけて並んでいる。各結合突起部３０は、いずれも同形状であり、先端３０ａが開放した中空の円柱形状を呈している。そして、これらの結合突起部３０には、それぞれ複数の被係止部３１と、一対のスリット３２が形成されている。
【００１６】
被係止部３１は、結合突起部３０の外周面３０ｂを貫通する一対の貫通孔３３と、結合突起部３０の外周面３０ａをへこませた四個の凹み部３４と、から構成されている。ここで、一対の貫通孔３３は、円形の開口を有し、図３に示すように、ブロック体２０の正面２３から背面２４に向かう方向（以下、「正方向Ｘ」という）に沿って結合突起部３０を貫通している。また、四個の凹み部３４は、それぞれ正方向Ｘに対して４５°傾いた方向（以下、「傾斜方向Ｐ又は傾斜方向Ｑ」という）に沿って結合突起部３０の外周面３０ａをへこませている。
【００１７】
そして、一対の貫通孔３３は、少なくとも後述する係止突起４１の先端部４１ａを挿入可能な開口面積を有しており、ここでは、係止突起４１の先端部４１ａよりも大径のボールチェーンやストラップを挿通可能な大きさに形成されている。また、凹み部３４の大きさは、係止突起４１の先端部４１ａが入り込み、この係止突起４１の位置を規制可能な大きさに設定されている。
つまり、貫通孔３３や凹み部３４に係止突起４１の先端部４１ａが入ることで、係止突起４１が貫通孔３３や凹み部３４に干渉し、外力に抗して結合突起部３０を外れにくくする。
【００１８】
一対のスリット３２は、図３に示すように、結合突起部３０の周面のうち、ブロック体２０の上面２１の幅方向（正方向Ｘに沿った方向）の中央位置に設けられている。そして、各スリット３２は、図８Ｂに示すように、それぞれ結合突起部３０の起立方向に沿って延び、この結合突起部３０を正方向Ｘに沿って二分割している。これにより、結合突起部３０の先端３０ａは破断されている。
【００１９】
凹部４０は、ブロック体２０の底面２２に開放し、ブロック体２０の内部に形成された矩形状の空間である（図４，図８Ａ参照）。ここでは、底面２２の長辺方向に沿って、均等の間隔をあけて四個並んでいる。各凹部４０は、いずれも同形状であり、結合突起部３０を挿入可能な大きさの開口部４０ａと、内周面４０ｂから突出した一対の係止突起４１と、を有している。なお、図中の「４０ｃ」は、凹部４０の深さを規定する面である。
【００２０】
ここで、開口部４０ａは、結合突起部３０の外形寸法よりも僅かに大きい内径寸法に設定された円環形状を呈している。そして、この開口部４０ａは、図８Ａに示すように、開口中心Ｏ１が結合突起部３０の軸方向Ｏ２に一致する位置に形成されている。
【００２１】
一対の係止突起４１は、凹部４０の内周面４０ｂから突出した棒状部材であり、正方向Ｘに沿って延在し、先端部４１ａが開口部４０ａの内側に臨んでいる（図６参照）。
また、この係止突起４１は、他のブロック玩具１Ｂの結合突起部３０´が凹部４０に挿入され、この他のブロック玩具１Ｂの上面２１´が底面２２に接したときに、凹部４０に挿入された結合突起部３０´に形成された被係止部３１´（ここでは貫通孔３３´）に対向する位置に設けられている（図９Ａ参照）。
【００２２】
次に、実施例１のブロック玩具１の作用を説明する。
このブロック玩具１は、図９Ａに示すように、自身が有する結合突起部３０を、他のブロック玩具１Ａの底面２２´に形成された凹部４０´に挿入し、また、自身が有する凹部４０に他のブロック玩具１Ｂの上面２１´から突出した結合突起部３０´が挿入され、これらのブロック玩具１，１Ａ，１Ｂを互いに結合するものである。
【００２３】
ここで、結合突起部３０には、正方向Ｘに沿って結合突起部３０を貫通した一対の貫通孔３３が形成されている。一方、凹部４０の内部には、内周面４０ｂから突出した一対の係止突起４１が形成され、正方向Ｘに沿って延在している。しかも、この一対の係止突起４１は、他のブロック体２０´が有する結合突起部３０´を凹部４０に挿入したときに、この結合突起部３０´に形成された貫通孔３３´に対向する位置に設けられている。
【００２４】
そのため、二つのブロック玩具１，１Ａの正方向Ｘを一致させた状態で、一方のブロック玩具１の結合突起部３０を、他のブロック玩具１Ａの凹部４０´に挿入すると、図９Ａ及び図９Ｂに示すように、凹部４０´内に形成された係止突起４１´の先端部４１ａ´が、結合突起部３０に形成された貫通孔３３に入り込む。
【００２５】
これにより、一方のブロック玩具１に対して結合突起部３０の起立方向に引っ張るような外力が作用しても、係止突起４１´が貫通孔３３に干渉し、結合突起部３０が凹部４０´から抜けにくくなる。そのため、他のブロック玩具１Ａに結合したブロック玩具１を外れにくくして、結合状態の保持力を向上させることができる。
【００２６】
また、結合突起部３０は、他のブロック玩具１Ａが有する凹部４０´に挿入するとき、まず、図１０Ａに示すように、開口部４０ａ´から凹部４０´内に入り込んだ結合突起部３０の先端３０ａが、この開口部４０ａ´の内側に臨む係止突起４１´の先端部４１ａ´に接触する。
【００２７】
そして、そのまま結合突起部３０を凹部４０´内へ押し込んでいくと、この結合突起部３０は、係止突起４１´によって側方から押圧された状態になり、図１０Ｂに示すように先端３０ａがスリット３２を狭める方向に撓む。これにより、結合突起部３０は外径寸法が縮小し、結合突起部３０の先端３０ａは、凹部４０´内に形成された係止突起４１´を乗り越えて、結合突起部３０の外周面３０ｂが先端部４１ａ´に対向する。
【００２８】
そして、一方のブロック玩具１の上面２１が、他方のブロック玩具１Ａの底面２２´に接するまで結合突起部３０を押し込むと、図１０Ｃに示すように、結合突起部３０に形成された貫通孔３３が係止突起４１´の先端部４１ａ´に対向し、この先端部４１ａ´が貫通孔３３に挿入される。なお、係止突起４１´が貫通孔３３に挿入されたことで、結合突起部３０の撓みは解消し、外径寸法が通常状態に回復する。この結果、係止突起４１´が貫通孔３３に干渉し、結合突起部３０が凹部４０´から抜けにくくなる。
【００２９】
このように、実施例１のブロック玩具１では、結合突起部３０を凹部４０´に挿入した際、結合突起部３０の先端３０ａがスリット３２を狭める方向に撓んで外径寸法を縮小するため、結合突起部３０の先端３０ａが係止突起４１´の先端部４１ａ´を容易に乗り越え、スムーズに挿入することができる。これにより、ブロック玩具１，１Ａを容易に結合させることができる。
【００３０】
また、この実施例１では、被係止部３１が結合突起部３０の外周面３０ｂを貫通する貫通孔３３によって構成されている。これにより、一方のブロック玩具１の結合突起部３０が凹部４０´に挿入された他のブロック玩具１Ａでは、ブロック体２０´の上面２１´から突出した結合突起部３０´に、図９Ａに示すように、例えばボールチェーンＢＣを取り付けることができる。そのため、このボールチェーンＢＣを介して、ブロック玩具１Ａをカバンや鍵等に取り付けることが可能になる。
【００３１】
また、このとき、他のブロック玩具１Ａに対して結合させたブロック玩具１では、係止突起４１´が貫通孔３３に干渉して外れにくくなっている。そのため、複数のブロック玩具１を結合したものをカバン等に取り付けても、ブロック玩具１が外れにくくなっているので、安心して使用することができる。
【００３２】
また、実施例１では、結合突起部３０に形成された被係止部３１として、四個の凹み部３４を有している。ここで、凹み部３４は、傾斜方向Ｐ又は傾斜方向Ｑに沿って結合突起部３０の外周面３０ａをへこませることで形成されている。
【００３３】
そのため、図１１に示すように、一方のブロック玩具１の正方向Ｘと、他方のブロック玩具１Ａの正方向Ｘ´とを相対的に４５°傾けた状態で、一方のブロック玩具１の結合突起部３０を、他のブロック玩具１Ａの凹部４０´に挿入すると、凹部４０´内に形成された係止突起４１´の先端部４１ａ´が、結合突起部３０に形成された凹み部３４に入り込む。
【００３４】
これにより、一方のブロック玩具１に対して結合突起部３０の起立方向に引っ張るような外力が作用しても、係止突起４１´が凹み部３４に干渉し、結合突起部３０が凹部４０´から抜けにくくなる。そのため、正方向Ｘ，Ｘ´同士を相対的に４５°傾けて結合しても、他のブロック玩具１Ａに結合したブロック玩具１を外れにくくして、結合状態の保持力を向上させることができる。
【００３５】
さらに、この実施例１では、ブロック体２０の正面２３に、周縁に沿った枠部２７が形成されている。そのため、図９Ａに示すように、正面２３に模様やイラスト等の表示Ｈ１を設け、枠部２７の起立面２７ａや先端面２７ｂには表示Ｈ１を設けない場合では、正面２３に設けた表示Ｈ１の周囲を枠部２７で区画することができる。これにより、複数のブロック玩具１を結合した際、各ブロック玩具１，１Ａ，１Ｂの正面２３に設けた表示Ｈ１をそれぞれ枠部２７で取り囲み、この表示Ｈ１を独立したものに強調して見せることができる。つまり、正面２３に設けた表示Ｈ１を額縁に収めたように見せることができる。
【００３６】
一方、背面２４は、全面が一様に均一な平坦な面になっており、この背面２４に模様やイラスト等の表示を設けた場合には、背面２４と上面２１や底面２２、第１，第２側面２５，２６との境界まで表示を設けることができる。
そのため、この背面２４が並ぶように複数のブロック玩具１を結合した場合では、背面２４に設けた模様やイラスト等を分割されることなく並べることができる。これにより、複数のブロック玩具１の背面２４を使って、一つの大きなイラストや模様等を形成することができる。
【００３７】
そして、実施例１のブロック玩具１では、結合突起部３０及び凹部４０が、いずれも上面２１及び底面２２の長辺に沿って均一の間隔で並んでいる。そのため、図９Ａに示すように、一対のブロック玩具１，１Ｂ間において、第１，第２側面２５，２６，２５´，２６´の位置を相対的に水平方向にずらした状態であっても、一方のブロック玩具１の凹部４０に他方のブロック玩具１Ｂの結合突起部３０´を挿入することができ、この一対のブロック玩具１，１Ｂを結合することができる。
【００３８】
以上、本発明のブロック玩具を実施例１に基づき説明してきたが、具体的な構成については、この実施例１に限られるものではなく、特許請求の範囲の各請求項に係る発明の要旨を逸脱しない限り、設計の変更や追加等は許容される。
【００３９】
実施例１では、被係止部３１である貫通孔３３及び凹み部３４が、いずれも円形の開口を有する例を示した。この場合では、貫通孔３３や凹み部３４によって、結合突起部３０の起立方向と、結合突起部３０の周方向との両方に対して他方のブロック玩具１Ａの係止突起４１´の相対的な位置を規制することができる。しかしながら、係止突起４１´の位置は、結合突起部３０の起立方向に対して規制されればよい。そのため、図１２に示すように、被係止部を結合突起部３０の周方向に長い長孔３５によって構成してもよい。
【００４０】
そして、長孔３５が形成された結合突起部３０を他方のブロック玩具１Ａの凹部４０´に挿入し、この長孔３５が被係止部４１´と係止した場合では、一対のブロック玩具１，１Ａを結合した状態で水平方向に相対的に回転させることができる。
なお、長孔３５は、図１２に示すような貫通孔に限らず、結合突起部３０の外周面３０ｂに形成されたへこみであってもよい。
【００４１】
また、実施例１では、ブロック体２０が全ての面が平坦な長方形で構成された直方体部材である例を示したが、ブロック体は、対向する一対の平面と、この一対の平面の周縁同士を連結する側面とを有していればよいのでこれに限らない。例えば、全ての面が正方形で構成された立方体部材であったり、上面及び底面が円形で側面が曲面になった円柱部材や、上面及び底面が三角形や五角形等の多角形部材であってもよい。
【００４２】
また、実施例１では、ブロック体２０の上面２１に四個の結合突起部３０を設け、底面２２に四個の凹部４０を形成した例を示したが、これに限らない。結合突起部３０や凹部４０の数は任意に設定することができる。また、結合突起部３０及び凹部４０を複数の列に並べて形成してもよい。
【００４３】
また、実施例１では、正面２３に枠部２７を設け、背面２４は全面を一様な平坦面とする例を示した。しかしながら、これに限らず、全ての面を平坦な面にしてもよいし、正面２３及び背面２４の双方に枠部２７を設けてもよい。
【００４４】
さらに、この実施例１では、ブロック玩具１を厚み方向に二分割された一対の部材を向い合せて連結することで形成し、その結果、段差部２８が形成されている。しかしながら、ブロック体２０を一体に形成し、段差部２８が生じないようにしてもよい。
【００４５】
そして、実施例１では、結合突起部３０に一対の貫通孔３３と、四個の凹み部４と、一対のスリット３２を形成し、底面２２に形成した凹部４０の内周面４ｂに一対の係止突起４１を形成した例を示した。しかしながら、こられの数や位置は実施例１に示すものにかぎらない。例えば、三個の貫通孔３３と三個の結合突起４２を形成したり、三個以上のスリット３２を形成したりしてもよく、これらの数は任意に設定することができる。
【符号の説明】
【００４６】
１  ブロック玩具
２０  ブロック体
２１  上面
２２  底面
２３  正面
２４  背面
２７  枠部
３０  結合突起部
３１  被係止部
３２  スリット
３３  貫通孔
３４  凹み部
４０  凹部
４１  係止突起
【図１】
2019083876.tif 000003
【図２】
2019083876.tif 000004
【図３】
2019083876.tif 000005
【図４】
2019083876.tif 000006
【図５】
2019083876.tif 000007
【図６】
2019083876.tif 000008
【図７】
2019083876.tif 000009
【図８Ａ】
2019083876.tif 000010
【図８Ｂ】
2019083876.tif 000011
【図９Ａ】
2019083876.tif 000012
【図９Ｂ】
2019083876.tif 000013
【図１０Ａ】
2019083876.tif 000014
【図１０Ｂ】
2019083876.tif 000015
【図１０Ｃ】
2019083876.tif 000016
【図１１】
2019083876.tif 000017
【図１２】
2019083876.tif 000018